(57)【特許請求の範囲】
【請求項１】
オーディオ信号のレベルを表示手段に表示するレベルメータ表示装置であって、前記オーディオ信号を絶対値に変換する絶対値変換手段と、前記表示手段への点灯位置データを記憶する点灯位置記憶手段と、前記絶対値変換手段により変換されたオーディオ信号のレベルと前記点灯位置記憶手段に記憶された点灯位置データに対応する現在のオーディオ信号のレベルとを比較する比較手段と、前記オーディオ信号のレベルが現在のオーディオ信号のレベルより大きい場合に前記点灯位置データを制御するアップダウンカウンタをサンプリング周期ごとに＋１し、前記オーディオ信号のレベルが現在のオーディオ信号のレベルより小さい場合に前記アップダウンカウンタを−１する制御手段とを備え、該制御手段は前記アップダウンカウンタを−１する場合に、前記現在のオーディオ信号の点灯位置データのエリアに応じて前記サンプリング周期より周期が長い複数の異なる周期のアクティブ信号がアクティブのときに前記アップダウンカウンタを−１するものであり、前記オーディオ信号のレベルが相対的に高い前記エリアに設定されたアクティブ信号の周期より、オーディオ信号のレベルが相対的に低いエリアに設定されたアクティブ信号の周期が長いことを特徴とするレベルメータ表示装置。
【請求項２】
オーディオ信号のレベルを表示手段に表示するレベルメータ表示方法であって、前記オーディオ信号を絶対値に変換し、前記表示手段への点灯位置データを記憶し、前記絶対値に変換されたオーディオ信号のレベルと前記点灯位置データに対応する現在のオーディオ信号のレベルとを比較し、前記オーディオ信号のレベルが現在のオーディオ信号のレベルより大きい場合は前記点灯位置データを制御するアップダウンカウンタをサンプリング周期ごとに＋１し、前記オーディオ信号のレベルが現在のオーディオ信号のレベルより小さい場合は前記アップダウンカウンタを−１し、前記アップダウンカウンタを−１する場合に、前記現在のオーディオ信号の点灯位置データのエリアに応じて前記サンプリング周期より周期が長い複数の異なる周期のアクティブ信号がアクティブのときに前記アップダウンカウンタを−１し、前記オーディオ信号のレベルが相対的に高い前記エリアに設定されたアクティブ信号の周期より、オーディオ信号のレベルが相対的に低いエリアに設定されたアクティブ信号の周期が長いことを特徴とするレベルメータ表示方法。
【発明の詳細な説明】
【０００１】
【発明の属する技術分野】
本発明は、オーディオ信号を処理してそのオーディオレベルを表示するレベルメータ表示装置に関する。
【０００２】
【従来の技術】
図６は、従来のレベルメータ表示装置の構成を示している。図６において、601は絶対値変換回路で、606は積分回路であり、602と604は乗算器、603は加算器、605は演算結果を記憶するメモリである。607はレベルメータの各ドットが点灯するレベルの範囲を決めるしきい値が記憶されるしきい値レベル用メモリ、608はレベルメータのドットの点灯位置を示すデータに変換する点灯位置データ変換回路、609は変換された点灯位置データが記憶される点灯位置データメモリ、610は制御のためのＣＰＵ、611はレベルメータ表示回路である。
【０００３】
次に、このような構成のレベルメータ表示装置の動作について説明する。入力されたデジタルオーディオ信号は絶対値変換回路601により符号のない絶対値データに変換された後、積分回路606で平滑化処理が行なわれる。積分回路606は、絶対値データと積分係数１を乗算器602で乗算し、１サンプル前のデータを積分係数２を乗算器604で乗算し、それぞれの乗算結果を加算器603で加算し、メモリ605へ加算結果を格納する。メモリ605に格納された平滑化後のデータは次にしきい値レベルメモリ607に格納されているレベルメータの各ドットのしきい値と比較され、表示データ変換回路608によりレベルメータ表示のための点灯位置データに変換され、点灯位置データメモリ609に格納される。ＣＰＵ610は点灯位置データメモリより点灯位置データを読み出し、そのデータに基づいてレベルメータが表示されるようにレベルメータ表示回路611を制御する。
【０００４】
このように、上記従来のレベルメータ表示装置では、オーディオ信号が積分回路で平滑化された後、表示用データに変換されてレベルメータ表示が行なわれる。
【０００５】
【発明が解決しようとする課題】
しかしながら、従来のレベルメータ表示装置では、積分回路として乗算器や加算器を使用するため、多くのチャンネルのオーディオ信号を扱うような機器においては、回路規模が増大し、コストアップの要因となるという問題があった。
【０００６】
本発明は、上記従来の問題点を解決するものであり、乗算器や加算器を使わず、従来よりも小さな回路規模でレベルメータの表示を行なうことができるレベルメータ表示装置を提供することを目的とする。
【０００７】
【課題を解決するための手段】
本発明は、上記目的を達成するために、レベルメータ表示装置を、デジタルオーディオ信号を絶対値に変換する絶対値変換手段と、レベルメータの各ドットが点灯するレベルの範囲を表すしきい値レベルを記憶する手段と、絶対値変換手段により変換されたデータとしきい値レベル記憶手段に記憶されているしきい値レベルを比較する比較手段と、レベルメータ表示のための点灯位置データ記憶手段と、点灯位置データ記憶手段に記憶されているデータに基づいてしきい値レベル記憶手段より読み出すしきい値を制御するしきい値読出制御手段と、点灯位置データ記憶手段に記憶されている点灯位置データを書き換える点灯位置データ書換手段と、書換えタイミングを生成する手段と、比較手段と書換タイミング生成手段と点灯位置データ記憶手段より出力される信号をもとに点灯位置データ書換手段を制御する制御手段と、点灯位置データ記憶手段に記憶されているデータをもとに、レベルメータ表示手段にレベルメータを表示するように制御する表示制御手段とを備えた構成とした。
【０００８】
このように構成したことにより、乗算器や加算器を用いた積分回路を使用せずにオーディオ信号からレベルメータの表示用データに変換する動作を行なうため、従来よりも少ない回路規模でレベルメータの表示を行なうことができる。
【０００９】
また、レベルメータ表示装置を、メータの応答モード設定手段と、設定された応答モードにしたがって書換タイミング生成手段を制御する書換タイミング制御手段を備えた構成とした。
【００１０】
このように構成したことにより、メータ表示データの書換タイミング時間を切り換えて、メータの表示レスポンスを切り換えることができる。
【００１１】
【発明の実施の形態】
本発明の請求項１記載の発明は、オーディオ信号のレベルを表示手段に表示するレベルメータ表示装置であって、前記オーディオ信号を絶対値に変換する絶対値変換手段と、前記表示手段への点灯位置データを記憶する点灯位置記憶手段と、前記絶対値変換手段により変換されたオーディオ信号のレベルと前記点灯位置記憶手段に記憶された点灯位置データに対応する現在のオーディオ信号のレベルとを比較する比較手段と、前記オーディオ信号のレベルが現在のオーディオ信号のレベルより大きい場合に前記点灯位置データを制御するアップダウンカウンタをサンプリング周期ごとに＋１し、前記オーディオ信号のレベルが現在のオーディオ信号のレベルより小さい場合に前記アップダウンカウンタを−１する制御手段とを備え、該制御手段は前記アップダウンカウンタを−１する場合に、前記現在のオーディオ信号の点灯位置データのエリアに応じて前記サンプリング周期より周期が長い複数の異なる周期のアクティブ信号がアクティブのときに前記アップダウンカウンタを−１するものであり、前記オーディオ信号のレベルが相対的に高い前記エリアに設定されたアクティブ信号の周期より、オーディオ信号のレベルが相対的に低いエリアに設定されたアクティブ信号の周期が長いレベルメータ表示装置であり、メータレベルの変化を平滑化して自然なレベルメータ表示を行うという作用を有する。
【００１２】
本発明の請求項２記載の発明は、オーディオ信号のレベルを表示手段に表示するレベルメータ表示方法であって、前記オーディオ信号を絶対値に変換し、前記表示手段への点灯位置データを記憶し、前記絶対値に変換されたオーディオ信号のレベルと前記点灯位置データに対応する現在のオーディオ信号のレベルとを比較し、前記オーディオ信号のレベルが現在のオーディオ信号のレベルより大きい場合は前記点灯位置データを制御するアップダウンカウンタをサンプリング周期ごとに＋１し、前記オーディオ信号のレベルが現在のオーディオ信号のレベルより小さい場合は前記アップダウンカウンタを−１し、前記アップダウンカウンタを−１する場合に、前記現在のオーディオ信号の点灯位置データのエリアに応じて前記サンプリング周期より周期が長い複数の異なる周期のアクティブ信号がアクティブのときに前記アップダウンカウンタを−１し、前記オーディオ信号のレベルが相対的に高い前記エリアに設定されたアクティブ信号の周期より、オーディオ信号のレベルが相対的に低いエリアに設定されたアクティブ信号の周期が長いレベルメータ表示方法であり、メータレベルの変化を平滑化して自然なレベルメータ表示を行うという作用を有する。
【００１５】
以下、本発明の実施の形態について、図面を参照しながら詳細に説明する。
【００１６】
（第１の実施の形態）
図１は、本発明の第１の実施の形態のレベルメータ表示装置の構成を示す機能ブロック図である。図１において、101は、オーディオ信号を絶対値のデータに変換する絶対値変換手段である。103は、レベルメータの各ドットが点灯するレベルのしきい値を記憶する手段である。102は、絶対値変換手段101により変換されたデータとしきい値レベル記憶手段103に記憶されているしきい値を比較する比較手段である。105は、レベルメータ表示において表示する全ドットのうち、何ドット目までを点灯させるかを表す点灯位置データを記憶する手段である。104は、点灯位置データ記憶手段105に記憶されているデータに基づいてしきい値レベル記憶手段103より読み出すしきい値を制御するしきい値読出制御手段である。108は、点灯位置データ記憶手段105に記憶されている点灯位置データを書き換える点灯位置データ書換手段である。107は、点灯位置データを書き換えるタイミングを生成する手段である。106は、比較手段102と書換タイミング生成手段107と点灯位置データ記憶手段105より出力される信号をもとに点灯位置データ書換手段108を制御する制御手段である。110は、レベルメータを表示する手段である。109は、点灯位置データ記憶手段105に記憶されている点灯位置データをもとに、レベルメータ表示手段110にレベルメータを表示するように制御する表示制御手段である。
【００１７】
図２は、本発明の第１の実施の形態のレベルメータ表示装置の回路ブロック図である。図２において、201は、デジタルオーディオ信号を絶対値に変換する絶対値変換回路である。209は、レベルメータの各ドットの上限しきい値を記憶するメモリである。210は、レベルメータの各ドットの下限しきい値を記憶するメモリである。204は、上限しきい値メモリ209より読み出したデータを一時的に記憶するレジスタである。205は、下限しきい値メモリ210より読み出したデータを一時的に記憶するレジスタで、上限しきい値メモリ209と下限しきい値メモリ210及びレジスタ204と205でしきい値記憶手段103を実現している。202は、絶対値変換回路201にて変換されたデータとレジスタ204に記憶されている上限しきい値を比較する上限値比較器である。203は、絶対値変換回路201にて変換されたデータとレジスタ205に記憶されている下限しきい値を比較する下限値比較器で、上限値比較器202と下限値比較器203は絶対値データとしきい値データの大小を示す信号を出力する。上限値比較器202と下限値比較器203で比較手段102を実現している。211は、点灯位置データを記憶するメモリである。214は、点灯位置データメモリ211より読み出した点灯位置データに基づき、しきい値メモリ209と210の読み出しアドレスを制御するメモリ制御回路である。213は、点灯位置データメモリ211より読み出した点灯位置データを一時的に記憶するレジスタで、点灯位置データメモリ211とレジスタ213で点灯位置データ記憶手段105を実現している。212は、213に格納されている点灯位置データを＋１あるいは−１するためのアップダウンカウンタである。208は、クロック発振器で、本実施の形態では、48ｋＨｚのクロックを発振する。207は、クロックを分周する回路で、1024分周と2048分周及び4096分周を行なうことにより、21ｍｓと43ｍｓと85ｍｓ周期のクロックを出力する。218は、分周回路207より出力されるクロックをもとに21ｍｓ毎と43ｍｓ毎と85ｍｓ毎にアクティブになる信号を生成するタイミング生成回路で、クロック発振器208と分周回路207とタイミング生成回路218で書換タイミング生成手段107を実現している。206は、比較器202と203より出力される大小信号と、レジスタ213に一時的に格納された点灯位置データとタイミング生成回路218より出力されるタイミング信号に基づきアップダウンカウンタ212に対し＋１するか−１するかあるいは値を書換えないかを制御する信号を出力する制御回路である。217は、レベルメータ画面を表示するためのＬＣＤである。216は、ＬＣＤを制御するためのＬＣＤコントローラである。215は、点灯位置データメモリに記憶されている点灯位置データをもとにＬＣＤコントローラ216を制御するためのＣＰＵで、ＬＣＤコントローラ216とＣＰＵ215で表示制御手段109を実現している。
【００１８】
次に、制御回路206の制御について説明する。まず、制御回路206は、比較器202、203より出力される大小信号をもとに入力されたオーディオ信号のレベルが現在レベルメータが表示しているレベルより大きいレベルなのか小さいレベルなのかを判定する。判定は以下のように行なう。
【００１９】
１）上限値比較器結果が大かつ下限値比較結果が大ならば、入力されたオーディオ信号のレベルは現在の表示レベルより大きいと判定する。
２）上限値比較器結果が小かつ下限値比較結果が小ならば、入力されたオーディオ信号のレベルは現在の表示レベルより小さいと判定する。
３）上限値比較器結果が小かつ下限値比較結果が大ならば、入力されたオーディオ信号のレベルは現在の表示レベルと等しいと判定する。
【００２０】
制御回路206は、次に、上記大小の判定結果と、タイミング生成回路218より出力されるタイミング信号とレジスタ213より出力される現在の点灯位置データをもとにアップダウンカウンタ212に対して制御を行なう。この制御の詳細について図３のフローチャートをもとに説明する。
【００２１】
制御回路206は、オーディオ信号のレベルが現在の表示レベルより大きい場合、点灯位置データを現在の位置データから＋１するようにアップダウンカウンタ212を制御する。オーディオ信号のレベルが現在の表示レベルと等しい場合、現在の点灯位置データから変化させないよう、アップダウンカウンタ212を制御する。オーディオ信号のレベルが現在の表示レベルより小さい場合は、現在の点灯位置データを−１するように制御を行なうが、そのとき、タイミング生成回路より出力されるタイミング信号がアクティブかどうかを判断する。これは、本実施の形態では、48ｋＨｚでサンプリングされたオーディオデータ入力されるのに対し、点灯位置データを−１するタイミングを、このサンプリング周期よりも低い周期とすることにより、表示するレベルが小さい方向に変化する場合には、時定数を持たせメータレベルの変化を平滑化している。本実施の形態では、ドット数が20ポイントのレベルメータを実現したが、その各ドットに対応するレベルの目盛がリニアではないため、20ポイントのドットを以下のようにグループ化し、その各グループに対応したタイミング信号を判定に使用した。
【００２２】
エリア１：ドット20〜ドット12、タイミング信号Ａ（21ｍｓ周期毎にアクティブになる信号）を判定に使用する。
エリア２：ドット11〜ドット６、タイミング信号Ｂ（43ｍｓ周期毎にアクティブになる信号）を判定に使用する。
エリア３：ドット５〜ドット１、タイミング信号Ｃ（85ｍｓ周期毎にアクティブになる信号を判定に使用する。
【００２３】
上記の説明において、ドット１は最小レベル表示ドットであり、ドット20は最大レベル表示ドットである。各エリアに対応したタイミングで点灯位置データを−１するように制御することで、より自然なレベルメータ表示を実現できる。
【００２４】
上記のように、本発明の第１の実施の形態によれば、制御手段106が、比較手段102と書換タイミング生成手段107と点灯位置データ記憶手段より出力される信号をもとに点灯位置データ書換手段106を制御してレベルメータの表示が行なわれるため、乗算器や加算器を使わず、従来よりも小さな回路規模でレベルメータの表示を行なうことができる。
【００２５】
（第２の実施の形態）
図４は、第２の実施の形態のレベルメータ表示装置の機能ブロック図である。図４に示す構成は、基本的には図１に示したレベルメータ表示装置と同じ構成であるので、同一構成部分については同一番号を付して詳細な説明を省略する。図４において、401はレベルメータの応答モードを設定する手段である。402は、メータ応答モード設定手段の設定に基づいて書換タイミング生成手段107を制御する書換タイミング制御手段である。
【００２６】
図５は、第２の実施の形態のレベルメータ表示装置の回路ブロック図である。図５に示す構成は、基本的には図２に示したレベルメータ表示装置と同じ構成であるので、同一構成部分については同一番号を付して詳細な説明を省略する。図５において、501はレベルメータの応答モードを設定するためのレジスタ、502は応答モード設定レジスタ501の設定にしたがい分周回路207の分周比を選択する分周比選択回路である。
【００２７】
次に、本回路の動作について説明する。本回路は、応答モード設定レジスタ501ト分周比選択回路502によってタイミング生成回路218より出力されるタイミング信号の周期が設定に応じて切り換わる。したがって、図３のフローチャートに示した制御回路206の動作において、点灯位置データを−１するタイミングを切り換えることができるので、レベルメータ表示の応答速度を変化させることができる。
【００２８】
上記のように、本発明の第２の実施の形態によれば、メータ応答モードの設定によりレベルメータ表示の応答速度を変化させることができるので、その時々の目的に応じたレベルメータの応答により、オーディオ信号のレベルを監視することができる。
【００２９】
なお、第２の実施の形態には示していないが、図３のフローチャートにおいて、オーディオ信号のレベルが現在の表示レベルより大きい場合にも、小さい場合と同様に、タイミング信号の判定を行なって、点灯位置データを＋１することにより、さらに色々なメータの応答モードを実現することができる。
【００３０】
【発明の効果】
本発明によれば、レベルメータ表示装置を、比較手段と書換タイミング生成手段と点灯位置データ記憶手段より出力される信号をもとに点灯位置データ書換手段を制御してレベルメータの表示を行なう構成としたので、乗算器や加算器を使用せずに、オーディオ信号をレベルメータ表示用のデータに変換することができ、小さな回路規模でレベルメータの表示が行なえて、ハードウェアのコストを抑えることができるという効果を有する。
【００３１】
また、本発明によれば、レベルメータ表示装置を、メータ応答モードの設定によりレベルメータ表示の応答速度を変化させる構成としたので、レベルメータの応答速度を切り換えることができ、その時々の目的に応じたメータ応答によりオーディオ信号のレベルを監視することができるという効果を有する。
【図面の簡単な説明】
【図１】本発明の第１の実施の形態のレベルメータ表示装置の機能ブロック図、
【図２】本発明の第１の実施の形態のレベルメータ表示装置の回路ブロック図、
【図３】本発明の第１の実施の形態における制御回路の動作を示すフローチャート、
【図４】本発明の第２の実施の形態のレベルメータ表示装置の機能ブロック図、
【図５】本発明の第２の実施の形態のレベルメータ表示装置の回路ブロック図、
【図６】従来のレベルメータ表示装置の機能ブロック図である。
【符号の説明】
101  絶対値変換手段
102  比較手段
103  しきい値レベル記憶手段
104  しきい値読出制御手段
105  点灯位置データ記憶手段
106  制御手段
107  書換タイミング生成手段
108  点灯位置データ書換手段
109  表示制御手段
110  レベルメータ表示手段
201  絶対値変換回路
202  上限値比較器
203  下限値比較器
204  レジスタ
205  レジスタ
206  制御回路
207  分周回路
208  クロック発振器
209  上限しきい値メモリ
210  下限しきい値メモリ
211  点灯位置データメモリ
212  アップダウンカウンタ
213  レジスタ
214  メモリ制御回路
215  ＣＰＵ
216  ＬＣＤコントローラ
217  レベルメータ用ＬＣＤ
218  タイミング生成回路
401  メータ応答モード設定手段
402  書換タイミング制御手段
501  メータ応答モード設定レジスタ
502  分周比選択回路
601  絶対値変換回路
602  乗算器
603  加算器
604  乗算器
605  メモリ
606  積分回路
607  しきい値レベルメモリ
608  点灯位置データ変換回路
609  点灯位置データメモリ
610  ＣＰＵ
611  レベルメータ表示回路
【図１】
0004164160.tif 000002
【図２】
0004164160.tif 000003
【図３】
0004164160.tif 000004
【図４】
0004164160.tif 000005
【図５】
0004164160.tif 000006
【図６】
0004164160.tif 000007